(57)【特許請求の範囲】
【請求項１】
コンクリート造りの外壁を有する建築物におけるコンクリート外壁の防湿構造であって、
前記外壁の室内側に接着材で所定の空間を設けて配設するボードに、前記ボードの外壁側と該外壁側から板厚方向に折曲げて角面取り部まで連続するように貼着した防湿フィルムを具備させ、
前記防湿フィルムを紙基材とフィルム材とを接合して構成し、該紙基材を前記ボードに貼着してボードの外壁側をフィルム材で覆うようにするとともに、
前記ボードを防湿フィルムが接するように複数枚並設し、
前記ボードの角面取り部における目地部を防湿材で室内側から接合して複数のボードの内面を連続した面に形成することにより外壁内面における結露を防止したことを特徴とするコンクリート外壁の防湿構造。
【請求項２】
前記外壁の室内側に断熱材を設け、該断熱材と所定の空間を設けて接着材で前記ボードを室内側に取付けた請求項１に記載のコンクリート外壁の防湿構造。
【発明の詳細な説明】
【技術分野】
【０００１】
本発明は、コンクリート造りの建築物における外壁の防湿構造に関するものである。
【背景技術】
【０００２】
従来、コンクリート造りの建築物として、鉄筋コンクリート造り（ＲＣ造）や鉄骨鉄筋コンクリート造り（ＳＲＣ造）等（この明細書及び特許請求の範囲の書類中では、これらを総称して「コンクリート造り」という）の建築物がある。そして、これらのコンクリート造りの建築物では、外断熱工法又は内断熱工法によって外壁の断熱が図られている。
【０００３】
外断熱工法は、外壁の外側に断熱材を設け、その表面にタイルを設けることとなるため、施工が難しくて作業に多くの時間と労力を要し、寒冷地においては採用される場合が多いが、一般的なコンクリート造りの建築物（例えば、中、低層のマンションやビル等）では、施工が比較的簡単な内側に断熱材を取付ける内断熱工法が多く採用されている。
【０００４】
図４は、一般的な従来のコンクリート外壁の断熱構造を示す横断面図である。図示するように、一般的なコンクリート造りの外壁５２の内断熱構造５１は、コンクリート外壁５２の外面はタイル等の外部仕上材５３によって仕上げられ、内面は、発泡ウレタンの吹付け等の断熱材５４と、外壁５２の内面に所定間隔で設けられた接着材５５（ＧＬボンド）にボード５６（石膏ボード、市販されている防湿ボード等を総称して、単に「ボード」ともいう）とが設けられた内断熱工法が多く採用されている。このボード５６の室内面に、クロス５７が貼られて室内側が仕上げられる。
【０００５】
図示する例は、ＧＬ工法（ジプサム・ライニング工法）という方法によってボード５６が取付けられており、コンクリート外壁５２の内面に所定の間隔でＧＬボンド５５を設け、このＧＬボンド５５にボード５６を圧着して取付けることにより、外壁５２とボード５６との間にある程度の空間５８（空気層）が設けられた構造となっている。
【０００６】
なお、この種の従来技術として、例えば、融点の高い樹脂層と融点の低い樹脂層とを積層した防湿シートを木質ボードに熱圧着して防湿性を持たせるようにしたものがある（例えば、特許文献１参照）。
【０００７】
また、他の従来技術として、石膏ボードの表面に薄い樹脂皮膜を形成するようにしたものもある（例えば、特許文献２参照）。
【特許文献１】特開平１１−２２７１１２号公報
【特許文献２】特開平５−９８７７１号公報
【発明の開示】
【発明が解決しようとする課題】
【０００８】
しかしながら、上記従来の内断熱工法は、断熱材５４によって熱貫流率を低くし、室内から屋外への熱の移動を少なくすることが目的であり、室内側からの湿気（水蒸気）の移動による外壁内面の結露を積極的に防止するような構造ではない。
【０００９】
そのため、上記ボード５６に市販されている防湿ボードを採用したとしても、木造や鉄骨造のように壁内の空気層厚が厚い場合には有効でも、コンクリート造りの外壁５２の場合には、断熱材５４の室内側とコンクリート外壁５２の境目５９の部分は屋外の温度の影響で低温となりやすく、飽和水蒸気圧も低く結露が発生してしまう。
【００１０】
したがって、コンクリート造りの外壁５２の場合、ボード５６を外した状態の外壁５２の内面である断熱材５４の表面では結露が発生しておらず健全なように見えても、断熱材５４とコンクリート外壁５２との境目５９に湿気（水蒸気）が移動して結露が発生している場合が多い。そして、この結露によって外壁５２の内面にカビが発生し、室内の空気環境に悪影響を及ぼす場合がある。この結露を仮に断熱材５４のみで防止しようとするならば、例えば、コンクリート外壁５２が厚み１５０ｍｍ、断熱材５４が発泡ウレタンとした場合、計算上、約９４ｃｍの厚みが必要となり、非現実的な厚みとなる。
【００１１】
このように、従来の内断熱工法における構造は熱貫流率を低くして熱の移動を少なくすることには対応しているが、コンクリート外壁５２の内面への湿気（水蒸気）の移動を効果的に抑止できるものではない。なお、上記特許文献１，２に記載された発明も、このようなコンクリート造りの外壁内面への湿気（水蒸気）の移動を効果的に抑止できる構造は示されていない。
【００１２】
そこで、本発明は、室内側からコンクリート造りの外壁内面への湿気（水蒸気）の移動を抑止して、コンクリート造りの外壁内面に結露が生じないようにするコンクリート外壁の防湿構造を提供することを目的とする。
【課題を解決するための手段】
【００１３】
上記目的を達成するために、本発明は、コンクリート造りの外壁を有する建築物におけるコンクリート外壁の防湿構造であって、前記外壁の室内側に接着材で所定の空間を設けて配設するボードに、前記ボードの外壁側と該外壁側から板厚方向に折曲げて角面取り部まで連続するように貼着した防湿フィルムを具備させ、前記防湿フィルムを紙基材とフィルム材とを接合して構成し、該紙基材を前記ボードに貼着してボードの外壁側をフィルム材で覆うようにするとともに、前記ボードを防湿フィルムが接するように複数枚並設し、前記ボードの角面取り部における目地部を防湿材で室内側から接合して複数のボードの内面を連続した面に形成することにより外壁内面における結露を防止している。この明細書及び特許請求の範囲の書類中における「防湿フィルム」は、「湿気（水蒸気）」の通過を防ぐ機能を有するフィルムをいう。これにより、防湿フィルムによって室内側の湿気（水蒸気）がコンクリート造りの外壁の内面まで移動するのを抑止して、外壁の内面に結露が生じてカビが発生するのを効果的に抑止することができる。 
【００１４】
また、ボードの外壁側から板厚方向に折曲げて連続するように貼着した防湿フィルによる防湿効果をボードの目地部でも発揮することができ、室内側からコンクリート外壁の内面に湿気が移動するのを確実に抑えて、コンクリート外壁の内面にカビが発生するのを効果的に抑止することができる。
【００１５】
さらに、ボードの外壁側に防湿フィルムの紙基材を貼着してボードの外壁側をフィルム材で覆うことができ、ボードの外壁側に防湿性を持たせる作業を効率良く行うことができる。
【００１６】
また、並設した複数枚のボードの目地部から湿気がコンクリート外壁の内面へ移動するのをより効果的に抑止して、コンクリート外壁の内面におけるカビの発生を更に防止することができる。
【００１７】
さらに、前記外壁の室内側に断熱材を設け、該断熱材と所定の空間を設けて接着材で前記ボードを室内側に取付ければ、中、低層のマンションやビル等で多く採用されているＧＬ工法によって外壁にボードを取付けてこれら外壁とボードとの間に断熱空間を形成する構造において、室内側の湿気がコンクリート造りの外壁の内面まで移動するのを抑止して、コンクリート外壁の室内側に結露が生じてカビが発生するのを効果的に防止することができる。
【発明の効果】
【００１８】
本発明は、以上説明したような手段により、室内側からコンクリート造りの外壁内面への湿気（水蒸気）の移動を抑止することができるので、コンクリート外壁の内面における結露を防止して安定した防湿効果を発揮することが可能となる。
【発明を実施するための最良の形態】
【００１９】
以下、本発明の一実施の形態を図面に基づいて説明する。図１は、本発明のコンクリート外壁の防湿構造に用いられるボードの一部を示す横断面図であり、図２は、図１に示すボードの分解斜視図である。図３は、本発明の一実施の形態に係るコンクリート外壁の防湿構造を示す横断面図である。以下の実施の形態では、ボードに石膏ボードを用い、上述したＧＬ工法によって外壁１２に取付ける内断熱工法の防湿構造を例に説明する。
【００２０】
図１，２に示すように、ボード１は、ボード用原紙２の間に石膏スラリーを流し込んで硬化させてボード本体３を形成した後に所定の大きさに切断されたものであり、その切断された板厚面４（切断面）を除く表面はボード用原紙２によって覆われている。
【００２１】
そして、このボード１の外壁側には防湿フィルム５が貼着されている。この防湿フィルム５は、紙基材６とフィルム材７とを接合して構成されており、紙基材６がボード１のボード用原紙２に貼着されている。フィルム材７としては、例えば、ポリエチレンフィルム、ポリプロピレンフィルム等のプラスチックフィルムや、アルミ箔フィルム等が用いられる。汎用性のあるポリエチレンフィルム等のプラスチックフィルムが、経済性や湿気の移動抑止に好ましい。
【００２２】
また、この実施の形態では、防湿フィルム５がボード１の外壁側から板厚方向に折曲げて連続するように貼着されている。防湿フィルム５の折曲げは、ボード１の角面取り部８までとなっている。この防湿フィルム５の貼着は、上記したように防湿フィルム５を紙基材６とフィルム材７とで構成し、紙基材６をボード用原紙２に貼着するようにしている。これにより、防湿フィルム５をボード用原紙２に密着させて貼ることができるようにしている。なお、これら図１，２では、各構成を離して記載しているが、これらが一体となってボード１が形成されている。
【００２３】
図３に示すように、上記ボード１は、コンクリート外壁１２の室内側における内断熱工法に用いられ、外壁１２の内面に設けられた発泡ウレタン等の断熱材１４と所定の空間１８（空気層）を開けた状態で、外壁１２の内面に所定間隔で設けられた接着材１５（ＧＬボンド）によって取付けられている。このボード１の室内面には、クロス１７が貼られて室内側が仕上げられる。これにより、防湿フィルム５が外壁１２側に位置するようにボード１が配設された防湿構造１１となる。
【００２４】
また、この実施の形態では複数枚のボード１を並設し、各ボード１は、ボード１の外壁側から板厚方向に折曲げて貼着された防湿フィルム５が接するように配設されている。このように目地部２０で防湿フィルム５が接するようにすることにより、目地部２０での防湿を図っている。しかも、この実施の形態では、ボード１の目地部２０が防湿材２１で室内側から接合されており、複数のボード１の内面が連続した平滑面に形成されている。この防湿材２１としてはパテ等が用いられる。上記したように、ボード１の端部に角面取り部８が設けられているので、この角面取り部８を室内側から防湿材２１で埋めることにより、安定した防湿効果が得られる。このような防湿材２１で目地部２０を接合することにより、上記したようにボード１の板厚方向に折曲げられて貼着された防湿フィルム５による防湿効果とともに、目地部でも湿気が外壁１２の内面１９（断熱材１４との境目）へ移動するのを抑止して、更なる防湿効果の向上を図っている。
【００２５】
以上のように、上記防湿構造１１によれば、ボード１に設けられた防湿フィルム５によって室内側から外壁１２側へ湿気（水蒸気）が移動するのを効果的に抑止することができる。例えば、ボード１とコンクリート外壁１２との間の空間１８における水蒸気圧を４５％〜５０％に低減することができ、この空間１８における飽和水蒸気圧を下回るようにして結露の発生を防止することができる。したがって、外壁１２の内面１９において結露発生によるカビ発生を抑止して、室内の空気環境が悪化しないコンクリート外壁の防湿構造１１を提供することが可能となる。
【００２６】
なお、上記実施の形態では、ボード１に石膏ボードを用いた内断熱工法を例に説明したが、他のボードを用いた同様の内断熱工法でも本発明を適用すれば同様の効果を得ることができる。
【００２７】
さらに、前述した実施の形態は一例を示しており、本発明の要旨を損なわない範囲での種々の変更は可能であり、本発明は前述した実施の形態に限定されるものではない。
【産業上の利用可能性】
【００２８】
本発明に係るコンクリート外壁の防湿構造は、コンクリート造りの外壁の内面における結露を防止したい構造物に利用できる。
【図面の簡単な説明】
【００２９】
【図１】本発明のコンクリート外壁の防湿構造に用いられるボードの一部を示す横断面図である。
【図２】図１に示すボードの分解斜視図である。
【図３】本発明の一実施の形態に係るコンクリート外壁の防湿構造を示す横断面図である。
【図４】従来のコンクリート外壁の断熱構造を示す横断面図である。
【符号の説明】
【００３０】
１…ボード
２…ボード用原紙
４…板厚面
５…防湿フィルム
６…紙基材
７…フィルム材
８…角面取り部
１１…防湿構造
１２…コンクリート外壁
１４…断熱材
１５…接着材
１８…空間
１９…内面
２０…目地部
２１…防湿材
【図１】
0005171273.tif 000002
【図２】
0005171273.tif 000003
【図３】
0005171273.tif 000004
【図４】
0005171273.tif 000005